【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
点光源からの光を光束制御部材を介して出射するようになっている面光源装置において、
前記光束制御部材は前記点光源に対応する凹みを備え、
前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、θ５／θ１＞１の関係を満足するとともに、このθ５／θ１の値をθ１の増加にしたがって徐々に小さくなる方向に変化させる形状に形成されていることを特徴とする面光源装置。
【請求項２】
複数の点光源からの光を光束制御部材を介して出射するようになっている面光源装置において、
前記光束制御部材は前記点光源に対応する凹みを前記点光源と同数備え、
前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、θ５／θ１＞１の関係を満足するとともに、このθ５／θ１の値をθ１の増加にしたがって徐々に小さくなる方向に変化させる形状に形成されていることを特徴とする面光源装置。
【請求項３】
前記凹みが、前記出射面又はこれと対向する入射面に形成されていることを特徴とする請求項１又は２に記載の面光源装置。
【請求項４】
前記凹みが、前記出射面及びこれと対向する入射面に形成されていることを特徴とする請求項１又は２に記載の面光源装置。
【請求項５】
前記凹みは、第１の曲面状部と、その周縁に形成される第２の曲面状部とを有し、これら第１の曲面状部と第２の曲面状部との接続部分が変曲点になっていることを特徴とする請求項１乃至４のいずれかに記載の面光源装置。
【請求項６】
前記請求項１乃至５のいずれかに記載の面光源装置と、この面光源装置からの光を光拡散部材を介して照射する被照明部材と、を備えたことを特徴とする照明ユニット。
【請求項７】
点光源に対応するように凹みを形成してなる光束制御部材において、
前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、θ５／θ１＞１の関係を満足するとともに、このθ５／θ１の値をθ１の増加にしたがって徐々に小さくなる方向に変化させる形状に形成されていることを特徴とする光束制御部材。
【請求項８】
複数の点光源のそれぞれに対応するように凹みを前記点光源と同数形成してなる光束制御部材において、
前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、θ５／θ１＞１の関係を満足するとともに、このθ５／θ１の値をθ１の増加にしたがって徐々に小さくなる方向に変化させる形状に形成されていることを特徴とする光束制御部材。
【請求項９】
前記凹みが、前記出射面又はこれと対向する入射面に形成されていることを特徴とする請求項７又は８に記載の光束制御部材。
【請求項１０】
前記凹みが、前記出射面及びこれと対向する入射面に形成されていることを特徴とする請求項７又は８に記載の光束制御部材。
【請求項１１】
前記凹みは、第１の曲面状部と、その周縁に形成される第２の曲面状部とを有し、これら第１の曲面状部と第２の曲面状部との接続部分が変曲点となっていることを特徴とする請求項７乃至１０のいずれかに記載の光束制御部材。
【手続補正２】
【補正対象書類名】明細書
【補正対象項目名】００１５
【補正方法】変更
【補正の内容】
【００１５】
請求項３の発明は、上記請求項１又は２の発明において、前記凹みが、前記出射面又はこれと対向する入射面に形成されていることを特徴としている。
請求項４の発明は、上記請求項１又は２の発明において、前記凹みが、前記出射面及びこれと対向する入射面に形成されていることを特徴としている。
請求項５の発明は、上記請求項１乃至４のいずれかの発明に係る面光源装置に関するものである。この面光源装置において、前記凹みは、第１の曲面状部と、その周縁に形成される第２の曲面状部とを有し、これら第１の曲面状部と第２の曲面状部との接続部分が変曲点になっていることを特徴としている。
【手続補正３】
【補正対象書類名】明細書
【補正対象項目名】００１６
【補正方法】変更
【補正の内容】
【００１６】
請求項６の発明は、上記請求項１乃至５のいずれかに記載の面光源装置と、この面光源装置からの光を光拡散部材を介して照射する被照明部材と、を備えたことを特徴とする照明ユニットに関するものである。
【手続補正４】
【補正対象書類名】明細書
【補正対象項目名】００１７
【補正方法】変更
【補正の内容】
【００１７】
請求項７の発明は、点光源に対応するように凹みを形成してなる光束制御部材に関するものである。この光束制御部材において、前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、θ５／θ１＞１の関係を満足するとともに、このθ５／θ１の値をθ１の増加にしたがって徐々に小さくなる方向に変化させる形状に形成されていることを特徴としている。
【手続補正５】
【補正対象書類名】明細書
【補正対象項目名】００１８
【補正方法】変更
【補正の内容】
【００１８】
請求項８の発明は、複数の点光源のそれぞれに対応するように凹みを前記点光源と同数形成してなる光束制御部材に関するものである。この光束制御部材において、前記凹みは、前記点光源から出射した光のうち、少なくともその最大強度の光が出射される方向から出射光の強度が最大強度の半分の値となる光が出射される方向までの角度範囲内に出射される光について、前記光束制御部材の出射面の法線方向に対する前記点光源から出射される光の出射角θ１と前記光束制御部材から出射する光の出射角θ５が、前記点光源から出射される光のうちの前記法線近傍の光を除き、θ５／θ１＞１の関係を満足するとともに、このθ５／θ１の値をθ１の増加にしたがって徐々に小さくなる方向に変化させる形状に形成されている。
【手続補正６】
【補正対象書類名】明細書
【補正対象項目名】００１９
【補正方法】変更
【補正の内容】
【００１９】
請求項９の発明は、上記請求項７又は８の発明において、前記凹みが、前記出射面又はこれと対向する入射面に形成されていることを特徴としている。
請求項１０の発明は、上記請求項７又は８の発明において、前記凹みが、前記出射面及びこれと対向する入射面に形成されていることを特徴としている。
請求項１１の発明は、上記請求項７乃至１０のいずれかの発明に係る光束制御部材に関するものである。この光束制御部材において、前記凹みは、第１の曲面状部と、その周縁に形成される第２の曲面状部とを有し、これら第１の曲面状部と第２の曲面状部との接続部分が変曲点となっていることを特徴としている。
【手続補正７】
【補正対象書類名】明細書
【補正対象項目名】００２３
【補正方法】変更
【補正の内容】
【００２３】
これらの図に示すように、本実施の形態の照明ユニット１は、平面形状が略矩形形状の板状の光束制御部材４と、この光束制御部材４の裏面（入射面）４ａ側にほぼ等間隔に複数配置された点光源としての発光ダイオード（ＬＥＤ）５と、光束制御部材４の出射面４ｂに間隔を開けて対向配置された光拡散部材６及び被照明部材３と、を備えている。なお、本実施の形態においては、光束制御部材４及びＬＥＤ５によって面光源装置２が構成されている。
【手続補正８】
【補正対象書類名】明細書
【補正対象項目名】００２５
【補正方法】変更
【補正の内容】
【００２５】
そして、光束制御部材４の裏面４ａには、各ＬＥＤ５に対向するように凹み７がそれぞれ形成されている。凹み７は、ＬＥＤ５の光軸Ｌを中心とする球面状の第１の入光面７ａと、この第１の入光面７ａの周縁を滑らかに裏面４ａ側に接続する第２の入光面７ｂとからなっている。このうち、第１の入光面（第１の曲面状部）７ａは、ＬＥＤ５から遠ざかる方向に凸の凹曲面状を呈しており、ＬＥＤ５の光軸Ｌを中心とする対称形状である。また、第２の入光面（第２の曲面状部）７ｂは、第１の入光面７ａとはほぼ逆方向に凸の曲面状に形成されている。その結果、凹み７は、第１の入光面７ａと第２の入光面７ｂとの接続部分が変曲点Ｐになる。ここで、ＬＥＤ５の光軸Ｌ上において、ＬＥＤ５の出射光の強度が最大強度になるように構成されている。
【手続補正９】
【補正対象書類名】図面
【補正対象項目名】図１７
【補正方法】変更
【補正の内容】
【図１７】
2006032172.tif 000001
【手続補正１０】
【補正対象書類名】図面
【補正対象項目名】図２１
【補正方法】変更
【補正の内容】
【図２１】
2006032172.tif 000002